(57)【特許請求の範囲】
【請求項１】
葬送時に遺体に施される複数の化粧料が収納された葬送用化粧セットであって、
少なくともファンデーション用凹部、口紅用凹部、頬紅用凹部、パフ用凹部、塗布部材用凹部が形成された容器と、
該容器を収容する収容部材と、
下地クリームの収納体と、
該容器内のそれぞれの凹部に納められる内容物としての化粧料を表示する表示部とを備え、
該表示部が上記容器における各凹部の位置に対応して各凹部内の化粧料を表示しており、該収容部材の表面部の外面に設けられ、
該収容部材には、更にカバー部材が上記表示部を隠すように一体に形成され、
該収納体が該収容部材の表面部の外面と該カバー部材との間に配置可能とされていることを特徴とする葬送用化粧セット。
【請求項２】
請求項１に記載の葬送用化粧セットにおいて、
該カバー部材に、該収容部材の表面部と該カバー部材との間に配置した該収納体が見えるように窓部が形成されていることを特徴とする葬送用化粧セット。
【請求項３】
請求項１または２に記載の葬送用化粧セットにおいて、
該収容部材が表面部、裏面部及び４つの側面部からなる断面矩形状であって、該側面部に開口部が形成され、
該収容部材に該開口部から該容器がスライドして収納・離脱できるように形成されていることを特徴とする葬送用化粧セット。
【請求項４】
請求項１ないし３のいずれか１つに記載の葬送用化粧セットにおいて、
該表示部は、該下地クリームの該収納体を表示する下地クリーム表示部を有することを特徴とする葬送用化粧セット。
【請求項５】
請求項１ないし４のいずれか１つに記載の葬送用化粧セットにおいて、
該容器の上記凹部全体を覆う蓋部材を備え、
該蓋部材が被さった状態で該容器が該収容部材に収容されることを特徴とする葬送用化粧セット。
【発明の詳細な説明】
【技術分野】
【０００１】
本発明は、葬送時に遺体に化粧が施される際に用いられる葬送用化粧セットに関するものである。
【背景技術】
【０００２】
従来、故人を美しい姿で送り出すために、遺体の身体を清め、さらに顔面には化粧を施すことが行われている。すなわち、遺体の顔面に生じる痣やくすみをきれいに隠すためにファンデーションを塗布し、さらに頬紅や口紅を塗ることにより、故人を生前と変わらぬ美しい顔で送り出すようにしているのである。このときに用いるファンデーションや頬紅、口紅といった化粧料としては、故人が生前に使用していたものを用いることもあるが、最近では、葬送用として用意された化粧料を用いることが多くなってきている（例えば、特許文献１）。
【先行技術文献】
【特許文献】
【０００３】
【特許文献１】特開２０００−８３７３０号公報
【発明の概要】
【発明が解決しようとする課題】
【０００４】
上記のように遺体の顔面に対して化粧を施す化粧料は、通常は遺体１体に対して１セット用意されるようになっている。従って、その遺体に対して一通りの化粧を施した後の残りの化粧料は、かなりの量が残っているにもかかわらず、廃棄されているというのが実情である。
【０００５】
また、遺体の顔面に、遺体に合った化粧を施すことは、非常に難しいことである。すなわち、遺体自身の肌状態（肌色、肌艶、弾力性、はり等）、また生前の使用化粧品の種別などが千差万別であり、遺体の肌状態や口紅等に適した化粧品を用意するためには、多数の種別を用意する必要性があるが、多数用意すると容量が大きくなると共にコストアップになる。
【０００６】
また、用意する種別には限界があり、使用後の残りの化粧品は廃棄されているのが実情であり、無駄なものが多くなる欠点がある。
【０００７】
本発明は、このような実情に鑑みてなされたものであって、遺体の肌に対する化粧を美しく仕上げることができ、且つできるだけ遺体の肌にフィットした化粧を施せるようにした葬送用化粧セットの提供を目的とするものである。更に、通常は化粧品を扱わない男性等の素人であっても、化粧料の種別や化粧料の手順を間違うことなく遺体に化粧を施すことができるようにすることを目的とする。
【課題を解決するための手段】
【０００８】
上記の目的を達成するために、本発明の請求項１に係わる葬送用化粧セットは、葬送時に遺体に施される複数の化粧料が収納された葬送用化粧セットであって、少なくともファンデーション用凹部、口紅用凹部、頬紅用凹部、パフ用凹部、塗布部材用凹部が形成された容器と、該容器を収容する収容部材と、下地クリームの収納体と、該容器内のそれぞれの凹部に納められる内容物としての化粧料を表示する表示部とを備え、該表示部が上記容器における各凹部の位置に対応して各凹部内の化粧料を表示しており、該収容部材の表面部の外面に設けられ、該収容部材には、更にカバー部材が上記表示部を隠すように一体に形成され、該収納体が該収容部材の表面部の外面と該カバー部材との間に配置可能とされていることを特徴とする。
【０００９】
請求項２の発明は、請求項１に記載の葬送用化粧セットにおいて、該カバー部材に、該収容部材の表面部と該カバー部材との間に配置した該収納体が見えるように窓部が形成されていることを特徴とする。
【００１０】
請求項３の発明は、請求項１または２に記載の葬送用化粧セットにおいて、該収容部材が表面部、裏面部及び４つの側面部からなる断面矩形状であって、該側面部に開口部が形成され、該収容部材の該開口部から該容器がスライドして収納・離脱できるように形成されることを特徴とする。
【００１１】
請求項４の発明は、請求項１ないし３のいずれか１つに記載の葬送用化粧セットにおいて、該表示部は、該下地クリームの該収納体を表示する下地クリーム表示部を有することを特徴とする。
【００１２】
請求項５の発明は、請求項１ないし４のいずれか１つに記載の葬送用化粧セットにおいて、該容器の上記凹部全体を覆う蓋部材を備え、該蓋部材が被さった状態で該容器が該収容部材に収容されることを特徴とする。
【発明の効果】
【００１３】
請求項１の発明によれば、各化粧料を誰でも簡単に間違うことなく使用でき、遺体に化粧を施すことができる。特に、表示部に容器における各凹部の位置に対応して各化粧料が表示されているので、通常化粧品を扱わない男性であっても、間違うことなく遺体にきれいに化粧を行うことができる。
【００１４】
また、表示部が容器と別になっているので、容器を収容部材から引き出した際にも、容器（各化粧料）が妨げになることがなく、容器内の各化粧料の位置を表示部で確認することができ、化粧を間違えることなく施し易い。
【００１５】
さらに、下地クリームの収納体を容器と別にしているので、密封した状態で保管がし易く、外観の見映えが良い。
【００１６】
請求項２の発明によれば、カバー部材に窓部が形成されているので、下地クリームの収納体を化粧セットに組み付ける際の組付け忘れを一見して見極めることができる。また、遺体に化粧を行う際にも、下地クリームを直ぐに見つけ易い。
【００１７】
請求項３の発明によれば、容器を収納部材から簡単に取り出すことができる。
【００１８】
請求項４の発明によれば、下地クリームも一緒に表示されているので、下地クリームを遺体に施すことを確実に行える。
【００１９】
請求項５の発明によれば、容器内の各化粧料が塵や埃等で汚れることを防止できる。
【図面の簡単な説明】
【００２０】
【図１】図１は、本発明の実施形態１に係わる葬送用化粧セットを示す斜視図である。
【図２】図２は、図１の収納部材に挿入される容器及びこの容器に被せられる蓋部材を示す斜視図である。
【図３】図３は、図２の容器に収納される化粧料、バフ及び塗布部材を示す斜視図である。
【図４】図４は、図１の表示部の拡大平面図である。
【図５】図５は、本発明の実施形態２に係わる葬送用化粧セットを示す斜視図である。
【発明を実施するための形態】
【００２１】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２２】
（実施形態１）
本発明の実施形態１に係わる葬送用化粧セットＳは、図１〜図３に示すように、遺体の顔面に化粧を施すための化粧料を収容する容器１を備える。この容器１には蓋部材８が被せられて、収納部材２０にスライドして収納されるようになっている。
【００２３】
容器１は、図１（Ａ）及び図２に示すように、略矩形状の合成樹脂製で形成されている。容器１には、ファンデーション用凹部２、口紅用凹部３、頬紅用凹部４、眉墨用凹部５、パフ用の凹部６及び塗布部材用凹部７が一体に形成されている。ファンデーション用凹部２は、クリームファンデーション（ライト）用凹部２ａ、クリームファンデーション（ダーク）用凹部２ｂ、ファンデーション（ライト）用凹部２ｃ、ファンデーション（ダーク）用凹部２ｄが左右方向に横並びに形成されて構成されている。なお、本発明の「ライト」と「ダーク」とは、相対的に「ライト」が明るい色（或いは淡い色）で、「ダーク」が暗い色（或いは濃い色）を示すものである。また、ファンデーションで、クリームと説明してないものは、クリームになってないもののことで、例えばパウダー状のもののことである。
【００２４】
ファンデーション（ライト）用凹部２ｃ及びファンデーション（ダーク）用凹部２ｄの手前側位置に、頬紅用凹部４、眉墨用凹部５が左右に並設され、更にその手前側位置に口紅用凹部３を構成する口紅（淡い赤系統）用凹部３ａ、口紅（濃い赤系統）用凹部３ｂが左右に並んで設けられている。
【００２５】
これらの凹部には、図３（Ａ）に示すように、それぞれの対応する化粧料、即ち、ファンデーション１２として、クリームファンデーション（ライト）１２ａ、クリームファンデーション（ダーク）１２ｂ、ファンデーション（ライト）１２ｃ、ファンデーション（ダーク）１２ｄ、口紅１３として、口紅（淡い赤系統）１３ａ、口紅（濃い赤系統）１３ｂ、頬紅１４、眉墨１５それぞれがいずれも器部材１１に入れられた状態で、それぞれの凹部に納められるようになっている。４つのファンデーション用凹部２ａ，２ｂ，２ｃ，２ｄ、２つの口紅用凹部３ａ，３ｂ、頬紅用凹部４及び眉墨用凹部５は同じ大きさで並設され、同じ大きさの器部材１１に入れられている。同じ大きさの器部材１１にそれぞれの化粧料を入れて用意することで、量産性に優れ、各化粧料を容器１の各凹部に入れる際にも扱い易くなっている。なお、各化粧料を入れる器部材１１は同じ大きさにしているが、中に入れる各化粧料は同じ量にする必要はなく、遺体一体に対して必要と思われる量が有れば良いものであり、同じでなくても良い。
【００２６】
パフ用の凹部６について、図２に基づいて説明する。パフ用の凹部６は、図２において左下側の位置に設けられている。凹部６には、図３（Ｂ）に示すように、略矩形状のスポンジからなるパフ１６が納められるようになっている。凹部６には、凹部６に納められたパフ１６を取り出しやすくするための凹み６ａが形成されている。パフ１６は、１枚で設けたが、２枚以上に分割して、凹部１６に収納するようにしても良い。その場合、収納する凹部も分割して形成しても良い。また、薄いパフを重ねて凹部６に収納しても良い。パフ１６及びパフ用の凹部６は矩形状に形成したが、この形状に限られるものではない。
【００２７】
塗布部材用凹部７について、図２に基づいて説明する。塗布部材用凹部７は図２において右端側の位置に設けられている。塗布部材用凹部７は、互いに連続する小寸凹部７ａと大寸凹部７ｂとから形成されている。塗布部材用凹部７に納められる塗布部材１７は、図３（Ｃ）に示すように、棒部材１７ａの一方側にチップ部１７ｂが設けられ、他方側にブラシ部１７ｃが設けられた棒状部材からなる。チップ部１７ｂで眉墨１５を遺体に施し、ブラシ部１７ｃで口紅１３を施すようになっている。ブラシ部１７ｃには、ブラシ部１７ｃの刷毛が形崩れするのを防止するために、中空円筒形状で透明樹脂製のキャップ１８が被せられている。
【００２８】
なお、チップ部１７ｂがブラシ部１７ｃに比べて大きいために、チップ部１７ｂに対応する部分が大寸凹部７ｂに納められ、ブラシ部１７ｃに対応する部分が小寸凹部７ａに納められるようになっている。また、大寸凹部７ｂと棒部材１７ａとに隙間が設けられているので、塗布部材１７を取り出し易くなっている。
【００２９】
なお、各化粧料の凹部２，３，４，５、パフ用凹部６及び塗布部材用凹部７の配置は、この実施形態の配置に限られるものではなく、他の配置でも良く、パフを右手前側にする、パフを中央手前側にする、パフを奥側にする等、自由に配置を代えたものにしても良い。ファンデーションを４種類及び口紅を２種類としたが、この種類数に限られるものではなく、別の種類数にしても良い。クリームファンデーションとファンデーション（パウダー）とは同じ数にしたが、同じ数でなく、異なる数にしても良い。また、ファンデーションは、ライトとダークとしたが、これらに限られるものではなく、別の色合いのものを用意してもよい。なお、口紅や頬紅等は、色使いがよく目立つ部位であり、これらの微妙な色合わせを調整する場合には、眉墨やファンデーション、或いは、口紅と頬紅等とを混ぜ合わせて色具合を調整しても良い。それによって、種類を数多く用意しなくても、多数の微妙な色調整を行うことが出来るようになっている。また、下地クリームを加えて油分を増やすようにすることも可能である。なお、実際に使用する化粧料は、生体で使用されているような一般的な化粧料で良く、遺体であるからといって特別な化粧料を用意しなくても良い。なお、遺体用の化粧料としては、通常に使用される化粧料に比較して、ワセリン等の油分を少し多めにして乾燥を防ぐようにしても良い。使用目的が異なる化粧料を僅かに加えても、微妙な色合わせを調整するためであり、遺体の化粧を施す上では全く問題となることはない。なお、ファンデーションでも他のファンデーションを混ぜても良く、頬紅や口紅を混ぜて色調整をしても良く、下地クリームを加えるようにしても良い。
【００３０】
なお、各化粧料は、器部材１１に入れてから各凹部に納めるようにしたが、そうでなく、器部材１１を無くして直接各凹部に各化粧料を入れるようにしても良い。器部材１１（及び凹部）の形状は直方体に限られるものでは無く、他の形状でも良い。
【００３１】
また、各化粧料を器部材１１に入れて各凹部に納める場合には、各器部材１１が所定位置で収まればよいものであり、各凹部は、底部分まで樹脂がある形状でなく、例えば底部分が開口した形状のものであっても良く、本発明ではこの場合でも凹部という言い方で含むものとする。このことは、パフ用凹部６や塗布部材用凹部７についても同様なことが言える。
【００３２】
器部材１１に入れる化粧料は、蓋部材８等で密封すると内部のオイル成分が分離して水滴のように蓋部材８の内側面に付着する等の問題を生じる可能性があるので、密封しないほうが好ましい。しかし、使用前に塵や埃をかぶると良くないので、蓋部材８で通気性を確保しつつ覆い隠すようになっている。この蓋部材８は、容器１の周囲よりも僅かに大きな周囲を有する断面コ字状の有底箱体からなり、通気性を確保して被せられるようになっている。また、蓋部材８は、化粧料中の油分が染み込まないように耐油性の合成樹脂製で形成されている。
【００３３】
蓋部材８は裏返すと、パレットとしても使用可能となっており、こちらをパレットとして使用して、各化粧料の色合わせの調合等に使用しても良い。なお、蓋部材８は、このような構造に限られるものではなく、上記目的を達成するものであれば他の構造でも良く、例えば、通気性の有るフィルムを貼る、或いはフィルムを通気性を確保して貼る、等のようにしても良い。
【００３４】
次に、収容部材２０について説明する。収容部材２０は、紙部材で形成され、図１（Ａ）に示すように、表面部２１、裏面部２２、４つの側面部２３からなる略直方体の空洞形状からなり、例えば左右方向に対向する２方向の側面部２３に開口部２３ａが設けられている。この空洞に対して、蓋部材８が被せられた容器１が、開口部２３ａからスライドして収納・取出されるようになっている。
【００３５】
表面部２１の一端（奥側端）には、折り曲げ部２９が一体に形成され、折り曲げ部２９の外面が奥側の側面部２３の内面に貼り合わせられている。この側面部２３から一体に延びるカバー部材２４がほぼ表面部２１を覆う矩形状に形成され、カバー部材２４の先端部には、折り曲げ状の係止片２７が一体に設けられている。係止片２７が、表面部２１と手前側の側面部２３との境界部分（隅角部）に形成した第２スリット２８に挿入されてカバー部材２４が表面部２１を覆い隠して、取り付けられるようになっている。カバー部材２４には、略矩形状の窓部２５が形成されている。
【００３６】
表面部２１には、その表面部２１に切り込みを入れることで例えば互いにほぼ平行に延びる二つの第１スリット２６が形成されている。第１スリット２６に図１（Ｂ）に示す下地クリームの収納体３０の例えば対向する２か所の角部３１が挿入されることで、収納体３０が表面部２１に係止されるようになっている。このように収納体３０は第１スリット２６で係合されるので、簡単に係合できると共に簡単に外すこともできる。この位置にある収納体３０が、上記窓部２５から、露出して見えるようになっている。なお、窓部２５の形状はこの構造に限られるものではなく、中の収納体３０の存在が確認できれば良いものであり、他の形状でも良く、例えば、円形、楕円形、三角形、星形、ハート形等自由な形状で良いものである。
【００３７】
収納体３０は、図１（Ｂ）に示すように、矩形状のアルミ箔製パック等の密閉容器内に下地クリーム３３が密閉されて収納されている。収納体３０が表面部２１の二つの第１スリット２６に係止されて所定位置に納められた場合には、カバー部材２４に形成した窓部２５から収納体３０が見える状態に位置するようになっているので、その存在が確認できる。それによって、収納体３０の組み付け（セット）忘れを防止できるとともに、使用前にも、その存在を明確に使用者に示すことができる。
【００３８】
収納体３０が、表示部４０の外形表示部４１内の各化粧料の表示部を一部隠すような位置にあると、これを使用しないでファンデーション等の化粧料を施すことが未然に防止できる点で好ましい。
【００３９】
なお、収納体３０は、第１スリット２６で係止するようにしたが、この構造に限られるものではなく、例えば、窓部２５の対向する２辺それぞれに平行な２つのスリットを形成して、この２つのスリットに跨って収納体３０の辺部を挟むようにしても良い。また、スリットに嵌め込むことで収納体３０を係止するのではなく、別の手段、例えば、接着剤、粘着テープ等で係止するようにしても良い。また、収納体３０の角部３１を係止する略三角形状の袋体を貼り付けて設けても良い。
【００４０】
収納体３０は、上記のように、容器１の凹部に収められる各化粧料とは別にすることで、確実に密封するようにできると共に、容量を変更することが簡単にできる。その上、厚さを薄くすること（例えば厚い部分で１ｍｍ程度）で、収納部材２０の表面部２１とカバー部材２４との間に配置した場合でも、かさばることがなく、配置できる。
【００４１】
表示部４０は、図１及び図４に示すように、収容部材２０の表面部２１の外面に設けられている。図４に基づいて、表示部４０の詳細な構成について説明する。容器１内の化粧料の配置が解るように容器１の外形形状を少し縮小した形状で表示した外形表示部４１が設けられている。この外形表示部４１内に容器１の各凹部２，３，４，５，６，７の配列状態が解るように配置図にして表示されている。具体的には、クリームファンデーション（ライト）用の表示部４２ａ、クリームファンデーション（ダーク）用の表示部４２ｂ、ファンデーション（ライト）用の表示部４２ｃ、ファンデーション（ダーク）用の表示部４２ｄ、口紅（淡い赤系統）用の表示部４３ａ、口紅（濃い赤系統）用の表示部４３ｂ、頬紅用の表示部４４、眉墨用の表示部４５、塗布部材の表示部４６、パフの表示部４８が実際の凹部に対して略相似形状で図示され、それぞれの表示部には、それぞれの名称が言葉で表示されている。なお、パフ１６の凹部６については、パフ１６を言葉で表示することも必要ではなく、且つパレットとして使用することを前提としているので、パフの表示部４８はパフとは表示せずにパレットと表示している。また、パフ１６は、パフ用凹部６（表示はパレットとしている）から取り出したイメージが解るように、パフ用凹部６に一部がラップした状態でパフ４９を表示している。下地クリームの表示部４７は、外形表示部４１の左側部分に設け、容器１の中でなく、別に有ることを意識的に解るようにして表示している。
【００４２】
また、表面部２１には、表示部４０の外側に、化粧の手順（順番）が表示されており、普段化粧品を扱わない男性等でも手順を間違うことなく且つ戸惑うことなく、遺体に楽に化粧を施すことができる。特に、表示部４０と同じ面に手順も表示されているので、誰でも簡単に化粧を施すことができる。
【００４３】
本実施形態１の葬送用化粧セットＳの使用方法につて説明する。この葬送用化粧セットＳを遺体の１体に対して１セット提供することとする。まず収容部材２０内に収容されている容器１を開口部２３ａからスライドさせて引き出す。また、カバー部材２４を開いて、収容部材２０の表面部２１に係止されている下地クリームの収納体３０を外す。容器１の蓋部材８を外して、容器１内のパフ１６をパフ用凹部６から外す。ここまでの準備が終わったら、実際の化粧に入る。その化粧の手順を次に説明する。
【００４４】
手順１：収納体３０の一部を破って内部の下地クリーム３３を遺体の顔面全体に対して塗布する。
【００４５】
手順２：クリームファンデーション１２ａ及び／或いは１２ｂをパフ１６を使って塗布する。
【００４６】
手順３：ファンデーション（パウダー）１２ｃ及び／或いは１２ｄをパフ１６を使って整える。
【００４７】
なお、手順２と３のどちらか一方でも良い。
【００４８】
手順４：塗布部材１７のチップ部１７ｂを使って、眉墨１５で眉毛を描く。
【００４９】
手順５：塗布部材１７のブラシ部１７ｃを使って、口紅１３を塗る。
【００５０】
手順６：パフ１６を使って、頬紅１４を頬に軽く付ける。
【００５１】
ファンデーション１２は、クリームファンデーション（ライト）１２ａとクリームファンデーション（ダーク）１２ｂとを、またファンデーション（ライト）１２ｃとファンデーション（ダーク）１２ｄとをそれぞれ混ぜて色の調製を行っても良く、お互いを組合わせても良い。また、微妙な色合わせを行うためには、他種類の化粧料（口紅１３、頬紅１４、眉墨１５）を混ぜ合わせても良い。これらの混ぜ合せには、パレットと表示してあるパフ用凹部６を使用すればよく、蓋部材８を裏返して、パレットとして使用しても良い。
【００５２】
眉墨１５、口紅１３及び頬紅１４を化粧する場合にも、微妙な色合わせのために、２つの口紅を混ぜ合せる、或いは他種類の化粧料を混ぜ合わせても良い。
【００５３】
実施形態１では、上述したように、各種の組み合せを行うことにより、遺体の肌状態に合わせた化粧料に調整できるので、多くの化粧料を準備しなくても良く、且つ遺体の肌状態を生体時の肌状態に近づけた状態に仕上げることができ、きれいな化粧に仕上げることができる。
【００５４】
また、このような組み合わせを行う際にも、表示部で各化粧料の位置が一目して識別できるように表示されているので、誰でも間違わないように化粧を施すことができる。また、表示部には、化粧の手順も記載されているので、通常化粧を行わない、例えば男性であっても、間違うことなく且つ戸惑うことなく、遺体に化粧を施すことができる。
【００５５】
（実施形態２）
実施形態２について、図５に基づいて説明する。尚、実施形態２は、実施形態１と異なる部分のみの説明とし、同じ部分の説明は省略する。
【００５６】
実施形態２は、実施形態１に比べて、収容部材のカバー部材を省略して、容器及び蓋部材の一部を変更して、表示部を設ける場所を変更したものである。
【００５７】
具体的には、紙製の覆い部材１０８を設け、この覆い部材１０８に実施形態１と同様な表示部４０と第１スリット２６を設けている。第１スリット２６に下地クリームの収納体３０を係止している。この覆い部材１０８の２つの端面１０８ａを蓋部材８に接着するようにしている。収容部材１２０の表面部１２１に窓１２５を設けている。これによって、蓋部材８に貼り付けた覆い部材１０８に表示部４０と収納体３０を係止させるようにしている。覆い部材１０８を貼り付けた蓋部材８を容器１に被せて、スライドさせて収容部材１２０の空洞に収容する。実施形態２では、カバー部材２４を省略したが、実施形態１と同様な効果を発揮できる。
【００５８】
なお、覆い部材１０８の外面に表示部４０を設けたが、内面にも設けて、蓋部材８を裏返してパレットとして使用する際にも、表示部が見えるようにしても良い。
【００５９】
また、実施形態２では、表示部４０を設けた覆い部材１０８を用意したが、この覆い部材１０８を用意せずに、直接蓋部材に表示部を印刷する等によって設けるようにしても良い。なお、この場合には、蓋部材８に第１スリット２６を設けると収納体３０の角部３１が化粧料に接触するので好ましくない。そのために、第１スリット２６を使用しないで、収納体３０を蓋部材８か収容部材１２０の表面部１２１のどちらかに係止するようにすることが好ましい。
【００６０】
化粧セットには、上記した化粧料以外に、他の化粧料などを加えて化粧セットとしても良い。例えば、綿棒、コットン、化粧ブラシ、ティッシュ、タオル、髪用ブラシ（櫛）、マスカラ等である。これらの化粧料を追加する場合に、上記容器に一緒にセットするように容器を大きくする、形状変更する等で対応することも可能である。また別に入れ物を設けてセット品とするようにしても良い。また、別の大きな入れ物に、上記化粧セット１を納めて、追加する他の化粧料を所定位置に納める入れ物としても良い。
【００６１】
収容体３０は、容器と別にセットするようにしたが、容器内に収容体を収容する部分を形成して設けるようにしても良い。また、例えば、パフの上面や下面にセットするようにしても良い。また、下地クリーム３３は、リップクリームとして使用することも可能である。
【００６２】
なお、上記の実施形態１，２においては、容器１や蓋部材８には、ＡＢＳ樹脂、ＡＳ樹脂、ＨＩＳ樹脂（ハイインパクトスチロール）、ポリオレフィン樹脂、ポリエステル樹脂、アセタール樹脂等の熱可塑性樹脂の１種または２種以上を用いることができる。なお、塩素系を含まない可燃性樹脂とすることが好ましい。
【産業上の利用可能性】
【００６３】
本発明は、葬送時に遺体に施される化粧料をセットにした葬送用化粧セットとして使用できる。
【符号の説明】
【００６４】
Ｓ  葬送用化粧セット
１  容器
２，２ａ〜２ｄ  ファンデーション用凹部
３，３ａ，３ｂ  口紅用凹部
４  頬紅用凹部
５  眉墨用凹部
６  パフ用凹部
７  塗布部材用凹部
８  蓋部材
１１  器部材
１２，１２ａ〜１２ｄ，１３，１３ａ，１３ｂ，１４，１５  化粧料
２０，１２０  収容部材
２１，１２１  表面部（覆い部）
２２  裏面部
２３  側面部
２３ａ  開口部
２４  カバー部材
２５，１２５  窓部
２６  第１スリット(下地用）
３０  下地クリームの収納体
３１  ４つの角部
３３  下地クリーム
４０  表示部
４１  外形（容器用内化粧料の）表示部
４６  塗布部材の表示部
４７  下地クリームの表示部
４８  パレットの表示部
４９  パフの表示部
１０８  覆い部材
【図１】
0005473987.tif 000002
【図２】
0005473987.tif 000003
【図３】
0005473987.tif 000004
【図４】
0005473987.tif 000005
【図５】
0005473987.tif 000006